(57)【特許請求の範囲】
【請求項１】
印刷機を用いて作成される印刷物の色を予測する印刷色予測方法において、
デバイス依存データに基づき前記印刷機を用いて作成されたドライダウン前のカラーチャートを測定し、ドライダウン前測色値を得るステップと、
ドライダウン後の前記カラーチャートを測定し、ドライダウン後測色値を得るステップと、
前記ドライダウン前測色値及び前記ドライダウン後測色値を用いて、前記デバイス依存データに対するドライダウン前後の測色値の差分量を算出するステップと、
前記差分量を補間することで、任意のデバイス依存データに対する差分量を算出し、算出した前記差分量と、前記任意のデバイス依存データに対するドライダウン後測色値とを用いて、前記任意のデバイス依存データに対するドライダウン前測色値を算出するステップと、
からなることを特徴とする印刷色予測方法。
【請求項２】
請求項１記載の方法において、
前記カラーチャートの作成に使用した前記デバイス依存データと、前記デバイス依存データに対するドライダウン前後の測色値の差分量とを用いて、デバイス依存データをドライダウン前後の測色値の差分量に変換する差分量変換テーブルを作成し、前記差分量変換テーブルを補間することで、前記任意のデバイス依存データに対する測色値の差分量を算出することを特徴とする印刷色予測方法。
【請求項３】
請求項２記載の方法において、
デバイス依存データと、前記デバイス依存データに基づき前記印刷機を用いて作成されたカラーチャートのドライダウン後測色値とを用いて、デバイス依存データに対するドライダウン後測色値を求めるドライダウン後印刷予測プロファイルを作成し、前記ドライダウン後印刷予測プロファイルと、補間した前記差分量変換テーブルとを用いて、デバイス依存データに対するドライダウン前測色値を求めるドライダウン前印刷予測プロファイルを作成し、前記ドライダウン前印刷予測プロファイルを用いて、前記任意のデバイス依存データに対するドライダウン前測色値を算出することを特徴とする印刷色予測方法。
【請求項４】
請求項１〜３のいずれか１項に記載の方法において、
前記カラーチャートの作成後の経過時間が異なる複数組の前記ドライダウン前測色値を測定し、前記各経過時間における前記ドライダウン前測色値を補間することで、前記カラーチャートの作成後の任意の経過時間におけるドライダウン前測色値を算出することを特徴とする印刷色予測方法。
【請求項５】
印刷機を用いて作成される印刷物の色を予測する印刷色予測システムにおいて、
デバイス依存データに基づき前記印刷機を用いて作成されたカラーチャートを測定し、測色値を得る測色計と、
ドライダウン前の前記カラーチャートを測定して得られたドライダウン前測色値と、ドライダウン後の前記カラーチャートを測定して得られたドライダウン後測色値との差分量を用いて、デバイス依存データをドライダウン前後の測色値の差分量に変換する差分量変換テーブルを作成する差分量変換テーブル作成部と、
デバイス依存データに対するドライダウン後測色値を求めるドライダウン後印刷予測プロファイルを作成するドライダウン後印刷予測プロファイル作成部と、
補間した前記差分量変換テーブル及び前記ドライダウン後印刷予測プロファイルを用いて、デバイス依存データに対するドライダウン前測色値を求めるドライダウン前印刷予測プロファイルを作成するドライダウン前印刷予測プロファイル作成部と、
を備え、前記ドライダウン前印刷予測プロファイルを用いて、任意のデバイス依存データに対するドライダウン前測色値を算出することで、前記印刷物の色を予測することを特徴とする印刷色予測システム。
【請求項６】
請求項５記載のシステムにおいて、
前記印刷物のプルーフを出力するプルーフ出力手段と、
デバイス依存データに基づき前記プルーフ出力手段を用いて作成されたカラーチャートの測色値と、前記デバイス依存データとを用いて、測色値に対するデバイス依存データを求める出力プロファイルを作成する出力プロファイル作成部と、
を備え、前記出力プロファイルを用いて、前記ドライダウン前測色値に対するデバイス依存データを求め、前記デバイス依存データを用いて、前記プルーフ出力手段により前記プルーフを出力することを特徴とする印刷色予測システム。
【請求項７】
請求項３記載の印刷色予測方法を用いてそれぞれ作成された、前記ドライダウン前印刷予測プロファイル又は前記ドライダウン後印刷予測プロファイルのうちいずれか一方を選択するプロファイル選択部と、
前記印刷物のプルーフを出力するプルーフ出力手段と、を備え、
前記プロファイル選択部により選択された前記ドライダウン前印刷予測プロファイル又は前記ドライダウン後印刷予測プロファイルのうちいずれか一方、及び前記プルーフ出力手段の出力プロファイルを順次用いて任意のデバイス依存データを変換し、得られたデバイス依存データを用いて前記プルーフ出力手段により前記プルーフを出力する
ことを特徴とする印刷色予測システム。
【発明の詳細な説明】
【技術分野】
【０００１】
本発明は、印刷機を用いて作成される印刷物の色を予測する印刷色予測方法及び予測システムに関する。
【背景技術】
【０００２】
印刷物は、例えば、Ｃ、Ｍ、Ｙ、Ｋの各色毎のフイルム原版を作成し、各フイルム原版からＰＳ版（Ｐｒｅｓｅｎｓｉｔｉｚｅｄ  Ｐｌａｔｅ）を焼き付けて現像した後、これらのＰＳ版を輪転機等の印刷機に装着し、印圧、湿し水、温度等の印刷条件を調整して作成される。
【０００３】
このように、印刷物は、複雑な工程で作成されており、所望の色の印刷物を得るためには、印刷物の作成に先立ち、カラープリンタ等の簡便な出力装置を用いてプルーフを作成し、そのプルーフを確認して印刷条件を調整することが行われる。
【０００４】
ところで、印刷直後の印刷物の色と、印刷から所定時間経過後の印刷物の色とでは、印刷用紙に対するインクの浸透や、インクの乾燥の影響により色調が異なっている。この現象は、一般にドライダウンと呼ばれている。
【０００５】
例えば、図８に示すように、横軸を印刷後の経過時間ｍｉｎ（分）、縦軸を印刷から十分な時間が経過したときの色を基準とした色差ｄＥとすると、色差ｄＥは、Ｃ、Ｍ、Ｙ、Ｋの各インクの印刷直後における変動が大きく、経過時間ｍｉｎが長くなるに従い変動が小さくなっている。しかも、色差ｄＥは、各インクによって異なっている。
【０００６】
また、図９、図１０、図１１に示すように、印刷物の色を測色値Ｌ*、ａ*、ｂ*で表した場合、ａ*ｂ*平面、Ｌ*ａ*平面、Ｌ*ｂ*平面の各平面において、点線で示す印刷直後であるドライダウン前の色再現範囲は、実線で示すドライダウン後の色再現範囲に縮小されており、特に、シャドー側で縮小の割合が顕著になっている。
【０００７】
さらに、図１２、図１３、図１４に示すように、印刷物の色を測色値Ｘ、Ｙ、Ｚで表した場合、横軸を網％、縦軸を測色値Ｘ、Ｙ、Ｚとすると、測色値Ｘ、Ｙ、Ｚは、点線で示すドライダウン前から実線で示すドライダウン後まで大きくなる方向に変化しており、しかも、網％によって変化量が異なっている。
【０００８】
印刷の現場では、このようなドライダウンを考慮して校正刷りの色調を確認する必要がある。この場合、校正刷りの色調が安定するまでには、長時間を要することから、現場のオペレータは、ドライダウン後の印刷物に対応した刷り見本と、ドライダウン前の印刷物から経験に基づいて推定したドライダウン後の印刷物とを比較していた。そのため、オペレータの経験によって色の調整に差異が生じる問題があった。
【０００９】
そこで、ドライダウン前の印刷物に基づいて色を調整する方法として、特許文献１では、印刷シートに形成した対象色毎のドライダウン前の色調を計測し、各色調のドライダウン前後の色調の変化量を予め記憶しておき、印刷物のドライダウン後の色調の基準値に前記変化量を加算した値をドライダウン前の目標値とし、この目標値と印刷物のドライダウン前の色調とを比較するようにしている。
【００１０】
また、特許文献２では、カラーチャートのドライダウン前の測色値及びドライダウン後の測色値から、色変換関係であるドライダウン前のプロファイル及びドライダウン後のプロファイルを作成し、これらのプロファイルを用いてドライダウン前後の色調をシミュレーションするようにしている。
【００１１】
【特許文献１】特開２００４−２３０７９３号公報
【特許文献２】特開２００４−２５１８４８号公報
【発明の開示】
【発明が解決しようとする課題】
【００１２】
しかしながら、これらの従来技術では、ドライダウン前後の色調の変化量、あるいは、ドライダウン前の測色値を得るために、多数のパッチからなるカラーチャートを印刷しなければならない。例えば、Ｃ、Ｍ、Ｙ、Ｋの４色の各組み合わせからなるカラーチャートでは、高精度な色調整を行うために１０００程度のパッチが必要となる。この場合、これらの多数のパッチを測色するには、かなりの測定時間を要するため、図８に示すように、測定中にパッチの色が変動してしまう。従って、測色値の信頼性が低いという不具合がある。
【００１３】
本発明は、前記の不具合を解消するためになされたものであり、印刷物のドライダウン前の色を容易且つ高精度に予測することのできる印刷色予測方法及び予測システムを提供することを目的とする。
【課題を解決するための手段】
【００１４】
本発明の印刷色予測方法は、印刷機を用いて作成される印刷物の色を予測する印刷色予測方法において、
デバイス依存データに基づき前記印刷機を用いて作成されたドライダウン前のカラーチャートを測定し、ドライダウン前測色値を得るステップと、
ドライダウン後の前記カラーチャートを測定し、ドライダウン後測色値を得るステップと、
前記ドライダウン前測色値及び前記ドライダウン後測色値を用いて、前記デバイス依存データに対するドライダウン前後の測色値の差分量を算出するステップと、
前記差分量を補間することで、任意のデバイス依存データに対する差分量を算出し、算出した前記差分量と、前記任意のデバイス依存データに対するドライダウン後測色値とを用いて、前記任意のデバイス依存データに対するドライダウン前測色値を算出するステップと、
からなることを特徴とする。
【００１５】
また、本発明の印刷色予測システムは、印刷機を用いて作成される印刷物の色を予測する印刷色予測システムにおいて、
デバイス依存データに基づき前記印刷機を用いて作成されたカラーチャートを測定し、測色値を得る測色計と、
ドライダウン前の前記カラーチャートを測定して得られたドライダウン前測色値と、ドライダウン後の前記カラーチャートを測定して得られたドライダウン後測色値との差分量を用いて、デバイス依存データをドライダウン前後の測色値の差分量に変換する差分量変換テーブルを作成する差分量変換テーブル作成部と、
デバイス依存データに対するドライダウン後測色値を求めるドライダウン後印刷予測プロファイルを作成するドライダウン後印刷予測プロファイル作成部と、
補間した前記差分量変換テーブル及び前記ドライダウン後印刷予測プロファイルを用いて、デバイス依存データに対するドライダウン前測色値を求めるドライダウン前印刷予測プロファイルを作成するドライダウン前印刷予測プロファイル作成部と、
を備え、前記ドライダウン前印刷予測プロファイルを用いて、任意のデバイス依存データに対するドライダウン前測色値を算出することで、前記印刷物の色を予測することを特徴とする。
【００１６】
さらに、本発明の印刷色予測システムは、印刷機を用いて作成される印刷物の色を予測する印刷色予測システムにおいて、
前記印刷物のプルーフを出力するプルーフ出力手段と、
デバイス依存データから、前記印刷機を用いて作成されるドライダウン前の前記印刷物の予測測色値を求めるドライダウン前印刷予測プロファイルと、
デバイス依存データから、前記印刷機を用いて作成されるドライダウン後の前記印刷物の予測測色値を求めるドライダウン後印刷予測プロファイルと、
前記ドライダウン前印刷予測プロファイル又は前記ドライダウン後印刷予測プロファイルを選択するプロファイル選択部と、
前記予測測色値から前記プルーフ出力手段のデバイス依存データを求める出力プロファイルと、
を備え、前記プロファイル選択部により選択した前記ドライダウン前印刷予測プロファイル又は前記ドライダウン後印刷予測プロファイルを用いて、任意のデバイス依存データから前記印刷物の予測測色値を求め、出力プロファイルを用いて、前記予測測色値からデバイス依存データを求め、前記デバイス依存データを用いて、前記プルーフ出力手段により前記プルーフを出力することを特徴とする。
【発明の効果】
【００１７】
本発明の印刷色予測方法及び予測システムでは、必要最小限のカラーチャートを測定して得たドライダウン前の測色値と、カラーチャートを測定して得たドライダウン後の測色値とを用いて、高精度なドライダウン前測色値を容易に求めることができる。そして、このドライダウン前測色値を用いることで、印刷物のドライダウン前のプルーフを高精度に作成して、印刷物の色を予測することができる。
【発明を実施するための最良の形態】
【００１８】
図１は、本実施形態の印刷色予測システム１０を示す。印刷色予測システム１０は、Ｃ、Ｍ、Ｙ、Ｋの各色を制御するＣＭＹＫ画像データ（Ｃ１、Ｍ１、Ｙ１、Ｋ１）を編集する編集装置１２と、編集されたＣＭＹＫ画像データ（Ｃ１、Ｍ１、Ｙ１、Ｋ１）を用いて印刷物Ｐ１を作成する印刷機１４と、ＣＭＹＫ画像データ（Ｃ１、Ｍ１、Ｙ１、Ｋ１）を、色予測するためのＣＭＹＫ画像データ（Ｃ２、Ｍ２、Ｙ２、Ｋ２）に変換する色変換装置１６と、ＣＭＹＫ画像データ（Ｃ２、Ｍ２、Ｙ２、Ｋ２）を用いて印刷物Ｐ１のプルーフＰ２を作成するプリンタ１８（プルーフ出力手段）と、色変換装置１６に組み込まれるドライダウン前印刷予測プロファイル２０、ドライダウン後印刷予測プロファイル２１及びプリンタプロファイル２２（出力プロファイル）を作成するプロファイル作成装置２４とを備える。なお、色変換装置１６は、ドライダウン前印刷予測プロファイル２０又はドライダウン後印刷予測プロファイル２１を選択するプロファイル選択部２３を備える。
【００１９】
ドライダウン前印刷予測プロファイル２０は、印刷機１４によって作成されるドライダウン前の印刷物Ｐ１のデバイスに依存しない測色値（予測測色値）、例えば、三刺激値（Ｘ、Ｙ、Ｚ）を予測するためのプロファイルであり、既知のＣＭＹＫ画像データ（デバイス依存データ）と、このＣＭＹＫ画像データから印刷機１４を用いて作成されたドライダウン前後のカラーチャートＣ１の測色値（ドライダウン前測色値及びドライダウン後測色値）の差分量と、ドライダウン後のカラーチャートＣ１の測色値とに基づいて、プロファイル作成装置２４により作成される。
【００２０】
ドライダウン後印刷予測プロファイル２１は、印刷機１４によって作成されるドライダウン後の印刷物Ｐ１のデバイスに依存しない測色値（予測測色値）を予測するためのプロファイルであり、既知のＣＭＹＫ画像データと、このＣＭＹＫ画像データから印刷機１４を用いて作成されたドライダウン後のカラーチャートＣ１の測色値とに基づいて、プロファイル作成装置２４により作成される。
【００２１】
プリンタプロファイル２２は、ドライダウン前印刷予測プロファイル２０又はドライダウン後印刷予測プロファイル２１によって予測された印刷物Ｐ１のデバイスに依存しない測色値、例えば、三刺激値（Ｘ、Ｙ、Ｚ）を、プリンタ１８の出力特性に依存するＣＭＹＫ画像データに変換するためのプロファイルであり、既知のＣＭＹＫ画像データと、このＣＭＹＫ画像データからプリンタ１８を用いて作成されたカラーチャートＣ２の測色値とに基づいて、プロファイル作成装置２４により作成される。
【００２２】
図２は、プロファイル作成装置２４の構成を示す。プロファイル作成装置２４は、カラーチャートＣ１、Ｃ２の測色値を測定する測色計２６と、ドライダウン後のカラーチャートＣ１を測色してドライダウン後印刷予測プロファイル２１を作成するドライダウン後印刷予測プロファイル作成部２８と、ドライダウン前のカラーチャートＣ１を測色して得られる測色値とドライダウン後のカラーチャートＣ１を測色して得られる測色値とを用いてドライダウン補正テーブル（差分量変換テーブル）を作成するドライダウン補正テーブル作成部３０（差分量変換テーブル作成部）と、ドライダウン後印刷予測プロファイル２１とドライダウン補正テーブルとを用いてドライダウン前印刷予測プロファイル２０を作成するドライダウン前印刷予測プロファイル作成部３２と、プリンタ１８により作成したカラーチャートＣ２の測色値を測定してプリンタプロファイル２２を作成するプリンタプロファイル作成部３４（出力プロファイル作成部）とを備える。
【００２３】
本実施形態の印刷色予測システム１０は、基本的には以上のように構成されるものであり、次に、この印刷色予測システム１０を用いた印刷色予測方法について説明する。
【００２４】
先ず、図３に示すフローチャートに基づき、プロファイル作成装置２４によるドライダウン前印刷予測プロファイル２０及びドライダウン後印刷予測プロファイル２１の作成手順について説明する。
【００２５】
編集装置１２から既知のＣＭＹＫ画像データを印刷機１４に供給し、印刷機１４を用いてカラーチャートＣ１を印刷する（ステップＳ１）。この場合、０％〜１００％の範囲における所定の間隔でＣＭＹＫ画像データの各網％を設定し、多数のカラーパッチ３６、例えば、１０００程度のカラーパッチ３６からなるカラーチャートＣ１を作成する（図４参照）。
【００２６】
次に、ステップＳ１で作成した印刷直後のカラーチャートＣ１のカラーパッチ３６から特定のカラーパッチ３８（ドライダウン前必要カラーパッチ）を選択し、測色計２６を用いて、これらのカラーパッチ３８を測色する（ステップＳ２）。
【００２７】
この場合、選択したカラーパッチ３８は、例えば、網％が２０％、４０％、６０％、８０％、１００％に設定され、Ｃ、Ｍ、Ｙ、Ｋの単色のインクで形成された２０パッチ、ＣＭ、ＭＹ、ＣＹの二次色のインクで形成された１５パッチ、ＣＭＹの三次色のインクで形成された５パッチ、ＣＭＹＫの四次色のインクで形成された５パッチ、及び、網％が０％又は１００％に設定されたＣＭＹのインクと網％が１００％に設定されたＫのインクとで形成され、上記の各パッチと重複しない６パッチから構成される。これらの５１パッチからなるカラーパッチ３８は、パッチ数が少ないため、測色計２６を用いて極めて短時間で測色することができる。従って、測色中のドライダウンの影響を無視することができ、全てのカラーパッチ３８を略同一の条件で測色することができる。
【００２８】
なお、カラーチャートＣ１からカラーパッチ３８を選択する代わりに、ドライダウン前必要カラーパッチのみからなるカラーチャートをカラーチャートＣ１とは別に作成し、このカラーチャートを測色する方がより好ましい。その理由は、多数のカラーパッチ３６が形成された広い面積のカラーチャートＣ１から必要なカラーパッチ３８を選択して測色する際、測色のための測色計２６あるいはカラーチャートＣ１の移動時間を考えると、その間にドライダウンが進行してしまうおそれがあるからである。これに対して、ドライダウン前必要カラーパッチのみからなるカラーチャートは、面積を小さくできるため、測色に要する時間を短縮してドライダウン前の所望の測色値を得ることができる。
【００２９】
また、ドライダウン前印刷予測プロファイル２０を作成するためのドライダウン前必要カラーパッチは、カラーパッチ３６から特定のカラーパッチ３８を選択して構成されるものに限られるものではなく、カラーパッチ３６とは独立に作成されたカラーパッチによって構成してもよい。
【００３０】
次いで、印刷から十分な時間が経過し、ドライダウンが進行して色調が安定したカラーチャートＣ１のカラーパッチ３８を含む全てのカラーパッチ３６（ドライダウン後全カラーパッチ）を、測色計２６を用いて測色する（ステップＳ３）。
【００３１】
この場合、カラーチャートＣ１は、例えば、１０００程度のパッチ数からなるため、測色にかなりの時間を要することもあり得る。しかしながら、カラーチャートＣ１は、印刷から十分な時間が経過していることから、安定した測色値を得ることができる。
【００３２】
ドライダウン後印刷予測プロファイル作成部２８では、カラーチャートＣ１の作成に使用した既知のＣＭＹＫ画像データと、ステップＳ３で測色したドライダウン後の全てのカラーパッチ３６のカラーチャートＣ１の測色値、例えば、三刺激値（Ｘａ、Ｙａ、Ｚａ）とを用いて、ＣＭＹＫ画像データに対するドライダウン後の三刺激値（Ｘａ、Ｙａ、Ｚａ）を求めるドライダウン後印刷予測プロファイル２１を作成する（ステップＳ４）。作成されたドライダウン後印刷予測プロファイル２１は、印刷色予測システム１０の色変換装置１６に設定される。
【００３３】
次に、ドライダウン補正テーブル作成部３０では、ステップＳ２で取得したドライダウン前のカラーパッチ３８の測色値、例えば、三刺激値（Ｘｂ、Ｙｂ、Ｚｂ）と、ステップＳ３で取得したドライダウン後のカラーパッチ３８の測色値、例えば、三刺激値（Ｘａ、Ｙａ、Ｚａ）との測色値差分量（ｄＸ、ｄＹ、ｄＺ）を求め、この測色値差分量（ｄＸ、ｄＹ、ｄＺ）と、カラーチャートＣ１の作成に使用した既知のＣＭＹＫ画像データとを用いて、ＣＭＹＫ画像データを測色値差分量（ｄＸ、ｄＹ、ｄＺ）に変換するドライダウン補正テーブルを作成する（ステップＳ５）。なお、ｄＸ＝Ｘａ−Ｘｂ、ｄＹ＝Ｙａ−Ｙｂ、ｄＺ＝Ｚａ−Ｚｂとする。
【００３４】
ここで、ドライダウン前のカラーパッチ３８は、測色時間を短縮するため、少ないパッチ数、例えば、５１パッチのみが測色されており、これらから得られる測色値だけでは、ラフなＣＭＹＫ画像データ（デバイス依存データ）と測色値差分量（ｄＸ、ｄＹ、ｄＺ）との対応関係しか得られない。そこで、測色値差分量（ｄＸ、ｄＹ、ｄＺ）を補間し、ＣＭＹＫ画像データ（デバイス依存データ）を、補間した測色値差分量（ｄＸ、ｄＹ、ｄＺ）に変換するドライダウン補正テーブルを作成する。この場合、測色値差分量（ｄＸ、ｄＹ、ｄＺ）は、ドライダウン前のカラーパッチ３８の測色値と比較すると、差分量であるためにその値が極めて小さく、従って、差分量を補間して得られる測色値差分量（ｄＸ、ｄＹ、ｄＺ）の誤差も極めて小さい。そのため、補間した測色値差分量（ｄＸ、ｄＹ、ｄＺ）を用いて、ドライダウン後印刷予測プロファイル２１と同程度の精度からなるドライダウン補正テーブルを作成することができる。
【００３５】
なお、ＣＭＹＫ画像データと三刺激値（Ｘ、Ｙ、Ｚ）との関係は、図５に示すように、非線形の関係にあるため、この非線形の関係を考慮して測色値差分量（ｄＸ、ｄＹ、ｄＺ）が推定される。この推定方法としては、例えば、特開２００６−２４９７１号に開示されている方法を利用することができる。
【００３６】
ドライダウン前印刷予測プロファイル作成部３２では、ステップＳ４で作成したドライダウン後印刷予測プロファイル２１の三刺激値（Ｘａ、Ｙａ、Ｚａ）から、ステップＳ５で作成したドライダウン補正テーブルを補間して得られる測色値差分量（ｄＸ、ｄＹ、ｄＺ）を減算することで、ＣＭＹＫ画像データと、ドライダウン前の三刺激値（Ｘｂ、Ｙｂ、Ｚｂ）との関係であるドライダウン前印刷予測プロファイル２０を作成する（ステップＳ６）。作成されたドライダウン前印刷予測プロファイル２０は、印刷色予測システム１０の色変換装置１６に設定される。
【００３７】
なお、ステップＳ５において、測色値差分量（ｄＸ、ｄＹ、ｄＺ）をｄＸ＝Ｘｂ−Ｘａ、ｄＹ＝Ｙｂ−Ｙａ、ｄＺ＝Ｚｂ−Ｚａとして求めた場合には、ドライダウン前印刷予測プロファイル２０は、ステップＳ４で作成したドライダウン後印刷予測プロファイル２１の三刺激値（Ｘａ、Ｙａ、Ｚａ）に、ステップＳ５で作成したドライダウン補正テーブルを補間して得られる測色値差分量（ｄＸ、ｄＹ、ｄＺ）を加算することで、ドライダウン前印刷予測プロファイル２０が作成される。
【００３８】
また、上記の説明では、印刷直後のカラーチャートＣ１のカラーパッチ３６を測色することにより、印刷直後におけるドライダウン前印刷予測プロファイル２０を作成するものとしている。これに対して、印刷後５分、１０分、２０分、３０分等の印刷後の異なる経過時間においてカラーチャートＣ１のカラーパッチ３６を測色し、各経過時間でのドライダウン前印刷予測プロファイル２０を作成するようにしてもよい。
【００３９】
さらに、異なる経過時間における複数のドライダウン前印刷予測プロファイル２０を作成し、所望の経過時間でのドライダウン前印刷予測プロファイル２０を線形補間、スプライン補間、多項式近似等を用いて算出するようにしてもよい。
【００４０】
次に、図６にフローチャートに基づき、プロファイル作成装置２４におけるプリンタプロファイル２２の作成手順について説明する。
【００４１】
この場合、色変換装置１６から既知のＣＭＹＫ画像データをプリンタ１８に供給し、カラーチャートＣ１を印刷する場合（ステップＳ１）と同様にして、複数のカラーパッチからなるカラーチャートＣ２を記録媒体上に出力する（ステップＳ１１）。
【００４２】
カラーチャートＣ２を出力して十分に時間が経過して色調が安定した後、カラーチャートＣ２の各カラーパッチを測色計２６によって測色し、例えば、三刺激値（Ｘ、Ｙ、Ｚ）を求める（ステップＳ１２）。そして、この三刺激値（Ｘ、Ｙ、Ｚ）と、カラーチャートＣ２の作成に使用したＣＭＹＫ画像データとの関係であるプリンタプロファイル２２を作成する（ステップＳ１３）。作成されたプリンタプロファイル２２は、色変換装置１６に設定される。
【００４３】
以上のようにしてドライダウン前印刷予測プロファイル２０、ドライダウン後印刷予測プロファイル２１及びプリンタプロファイル２２を設定した後、印刷色予測システム１０を用いてプルーフＰ２を作成し、得られたプルーフＰ２に基づいて印刷条件等の調整作業を行う。
【００４４】
そこで、図７に示すフローチャートに基づき、プルーフＰ２を作成して印刷条件等を調整する処理について説明する。
【００４５】
編集装置１２は、所望のＣＭＹＫ画像データ（Ｃ１、Ｍ１、Ｙ１、Ｋ１）を作成し（ステップＳ２１）、色変換装置１６に供給する。色変換装置１６では、先ず、プロファイル選択部２３によってドライダウン後印刷予測プロファイル２１が選択される（ステップＳ２２）。ドライダウン後印刷予測プロファイル２０は、デバイス依存データであるＣＭＹＫ画像データ（Ｃ１、Ｍ１、Ｙ１、Ｋ１）をデバイス非依存データである三刺激値（Ｘ、Ｙ、Ｚ）に変換する（ステップＳ２３）。
【００４６】
次いで、前記三刺激値（Ｘ、Ｙ、Ｚ）は、プリンタプロファイル２２によってプリンタ１８の出力特性に依存したＣＭＹＫ画像データ（Ｃ２、Ｍ２、Ｙ２、Ｋ２）に変換され（ステップＳ２４）、このＣＭＹＫ画像データ（Ｃ２、Ｍ２、Ｙ２、Ｋ２）を用いて、ドライダウン後の印刷物Ｐ１に対応したプルーフＰ２が作成される（ステップＳ２５）。
【００４７】
そこで、オペレータは、プルーフＰ２を確認し、必要に応じてＣＭＹＫ画像データ（Ｃ１、Ｍ１、Ｙ１、Ｋ１）を調整し（ステップＳ２６）、所望のドライダウン後のプルーフＰ２が得られるまで、ステップＳ２３〜Ｓ２６の処理を繰り返す。
【００４８】
所望のドライダウン後のプルーフＰ２が得られた後、プロファイル選択部２３によってドライダウン前印刷予測プロファイル２０が選択される（ステップＳ２７）。なお、ドライダウン前印刷予測プロファイル２０は、印刷物Ｐ１を確認する印刷後経過時間に対応したプロファイルが選択されるものとする。
【００４９】
選択されたドライダウン前印刷予測プロファイル２０を用いて、ステップＳ２６で調整されたＣＭＹＫ画像データ（Ｃ１、Ｍ１、Ｙ１、Ｋ１）が三刺激値（Ｘ、Ｙ、Ｚ）に変換される（ステップＳ２８）。次いで、三刺激値（Ｘ、Ｙ、Ｚ）がプリンタプロファイル２２によってプリンタ１８の出力特性に依存したＣＭＹＫ画像データ（Ｃ２、Ｍ２、Ｙ２、Ｋ２）に変換され（ステップＳ２９）、このＣＭＹＫ画像データ（Ｃ２、Ｍ２、Ｙ２、Ｋ２）を用いて、プリンタ１８によりドライダウン前の所望の経過時間の印刷物Ｐ１に対応したプルーフＰ２が作成される（ステップＳ３０）。
【００５０】
一方、印刷機１４は、ステップＳ２６で調整されたＣＭＹＫ画像データ（Ｃ１、Ｍ１、Ｙ１、Ｋ１）を用いて印刷物Ｐ１を作成する（ステップＳ３１）。オペレータは、このドライダウン前の印刷物Ｐ１とドライダウン前のプルーフＰ２とを比較し、例えば、これらの色が一致しない場合、印刷機１４におけるべた濃度等の印刷条件を微調整する（ステップＳ３２）。そして、色が一致するまで、ステップＳ３１〜Ｓ３２の処理を繰り返す。この結果、ドライダウン前の印刷物Ｐ１を用いて、オペレータの経験によらず、印刷条件を容易且つ適切に調整することができる。
【００５１】
なお、上述した実施形態では、ドライダウン前印刷予測プロファイル２０を作成し、このドライダウン前印刷予測プロファイル２０を用いてドライダウン前の印刷物Ｐ１のプルーフＰ２を作成するようにしているが、例えば、任意の印刷物Ｐ１を作成し、そのドライダウン後の測色値を測定し、ドライダウン補正テーブル作成部３０で作成したドライダウン補正テーブルを用いて印刷物Ｐ１の測色値を補正することで、印刷物Ｐ１のプルーフＰ２を作成するようにしてもよい。
【００５２】
また、色変換装置１６において、ドライダウン前印刷予測プロファイル２０又はドライダウン後印刷予測プロファイル２１を用いて、ＣＭＹＫ画像データ（Ｃ１、Ｍ１、Ｙ１、Ｋ１）から三刺激値（Ｘ、Ｙ、Ｚ）を求めた後、プリンタプロファイル２２を用いて、三刺激値（Ｘ、Ｙ、Ｚ）からＣＭＹＫ画像データ（Ｃ２、Ｍ２、Ｙ２、Ｋ２）を求めるものとして説明したが、三刺激値（Ｘ、Ｙ、Ｚ）に代えて、例えば、測色値Ｌ*、ａ*、ｂ*を介してＣＭＹＫ画像データ（Ｃ１、Ｍ１、Ｙ１、Ｋ１）からＣＭＹＫ画像データ（Ｃ２、Ｍ２、Ｙ２、Ｋ２）を求めるようにしてもよい。
【００５３】
また、ドライダウン前印刷予測プロファイル２０又はドライダウン後印刷予測プロファイル２１と、プリンタプロファイル２２とを１つのプロファイルに合成し、このプロファイルを用いてＣＭＹＫ画像データ（Ｃ１、Ｍ１、Ｙ１、Ｋ１）から直接ＣＭＹＫ画像データ（Ｃ２、Ｍ２、Ｙ２、Ｋ２）を求めるようにしてもよい。
【００５４】
さらに、印刷色予測システム１０では、プリンタ１８を用いてプルーフＰ２を作成するよう構成しているが、プリンタ１８に代えて、例えば、カラーモニタ（プルーフ出力手段）にプルーフＰ２を表示するようにしてもよい。この場合、プロファイル作成装置２４は、カラーモニタに表示させたカラーチャートＣ２を測色することでモニタプロファイル（出力プロファイル）を作成し、このモニタプロファイルを色変換装置１６に設定することになる。
【００５５】
さらにまた、Ｃ、Ｍ、Ｙ、Ｋの４色のデバイス依存データに対するプロファイルを作成する場合に限られるものではなく、２色以上の任意の色数からなるデバイス依存データに対するドライダウン前印刷予測プロファイル２０を作成する場合にも適用することができる。
【図面の簡単な説明】
【００５６】
【図１】本実施形態の印刷色予測システムの全体構成図である。
【図２】図１に示すプロファイル作成装置の構成ブロック図である。
【図３】ドライダウン前印刷予測プロファイルの作成フローチャートである。
【図４】ドライダウン前印刷予測プロファイル及びドライダウン後印刷予測プロファイルを作成するためのカラーチャートの説明図である。
【図５】ＣＭＹＫ画像データと三刺激値（Ｘ、Ｙ、Ｚ）との関係説明図である。
【図６】プリンタプロファイルの作成フローチャートである。
【図７】印刷条件等の調整処理のフローチャートである。
【図８】ドライダウンによって生じる色差の説明図である。
【図９】ａ*ｂ*平面におけるドライダウンの説明図である。
【図１０】Ｌ*ａ*平面におけるドライダウンの説明図である。
【図１１】Ｌ*ｂ*平面におけるドライダウンの説明図である。
【図１２】測色値Ｘのドライダウンの説明図である。
【図１３】測色値Ｙのドライダウンの説明図である。
【図１４】測色値Ｚのドライダウンの説明図である。
【符号の説明】
【００５７】
１０…印刷色予測システム
１２…編集装置
１４…印刷機
１６…色変換装置
１８…プリンタ
２０…ドライダウン前印刷予測プロファイル
２１…ドライダウン後印刷予測プロファイル
２２…プリンタプロファイル
２３…プロファイル選択部
２４…プロファイル作成装置
２６…測色計
２８…ドライダウン後印刷予測プロファイル作成部
３０…ドライダウン補正テーブル作成部
３２…ドライダウン前印刷予測プロファイル作成部
３４…プリンタプロファイル作成部
Ｃ１、Ｃ２…カラーチャート
Ｐ１…印刷物
Ｐ２…プルーフ
【図１】
0005214917.tif 000002
【図２】
0005214917.tif 000003
【図３】
0005214917.tif 000004
【図４】
0005214917.tif 000005
【図５】
0005214917.tif 000006
【図６】
0005214917.tif 000007
【図７】
0005214917.tif 000008
【図８】
0005214917.tif 000009
【図９】
0005214917.tif 000010
【図１０】
0005214917.tif 000011
【図１１】
0005214917.tif 000012
【図１２】
0005214917.tif 000013
【図１３】
0005214917.tif 000014
【図１４】
0005214917.tif 000015